【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
印刷物で隠れ、当該印刷物の複写物では現れる地紋用の文字列をユーザから受付ける受付け手段と、
前記受付け手段で受付けた地紋用の文字列に基づく領域と、当該領域とは異なる領域とのうち片方の領域にドットを集中して配置し、他方の領域にドットを分散して配置した印刷物を画像形成装置に作成させるための印刷データを生成する生成手段と、
前記印刷物の複写前後の違いをユーザに確認させるべく、第１の画像データと第２の画像データとを生成し、当該生成された第１の画像データと第２の画像データとを表示手段に表示するように制御する表示制御手段とを有し、
前記第２の画像データは、前記第１の画像データとは異なり、前記受付け手段で受付けた地紋用の文字列が強調された画像データであることを特徴とする情報処理装置。
【請求項２】
前記第２の画像データは、
前記受付け手段で受付けた地紋用の文字列に基づく領域の濃度が、当該領域とは異なる領域の濃度よりも濃くなっているか又は薄くなっている画像データであることを特徴とする請求項１に記載の情報処理装置。
【請求項３】
前記表示制御手段は、
前記第１の画像データ及び第２の画像データの夫々に前記原稿画像データを合成した上で前記表示手段に表示するように制御することを特徴とする請求項１又は２に記載の情報処理装置。
【請求項４】
前記表示制御手段は、
前記第１の画像データを表示するように制御するか、前記第２の画像データを表示するように制御するかを、ユーザからの指示に基づいて切り替えることを特徴とする請求項１乃至３の何れか１項に記載の情報処理装置。
【請求項５】
前記表示制御手段は、
前記第１の画像データを表示するように制御するか、前記第２の画像データを表示するように制御するかを所定時間間隔で切り替えることを特徴とする請求項１乃至４の何れか１項に記載の情報処理装置。
【請求項６】
前記表示制御手段は、
境界を境にして、前記第１の画像データと前記第２の画像データとを同時表示するように制御することを特徴とする請求項１乃至５の何れか１項に記載の情報処理装置。
【請求項７】
前記表示制御手段は、
前記境界を移動させることを特徴とする請求項６に記載の情報処理装置。
【請求項８】
前記生成手段は、
前記受付け手段で受付けた地紋用の文字列に基づく領域にドットを集中して配置し、前記領域とは異なる領域にドットを分散して配置した印刷物を画像形成装置に作成させるための印刷データを生成し、
前記第２の画像データは、前記受付け手段で受付けた地紋用の文字列に基づく領域の濃度が、当該領域とは異なる領域の濃度よりも濃くなっている画像データであることを特徴とする請求項１乃至７の何れか１項に記載の情報処理装置。
【請求項９】
印刷物で隠れ、当該印刷物の複写物では現れる地紋用の文字列をユーザから受付ける受付け工程と、
前記受付け工程で受付けた地紋用の文字列に基づく領域と、当該領域とは異なる領域とのうち片方の領域にドットを集中して配置し、他方の領域にドットを分散して配置した印刷物を画像形成装置に作成させるための印刷データを生成する生成工程と、
前記印刷物の複写前後の違いをユーザに確認させるべく、第１の画像データと第２の画像データとを生成し、当該生成された第１の画像データと第２の画像データとを表示手段に表示するように制御する表示制御工程とを有し、
前記第２の画像データは、前記第１の画像データとは異なり、前記受付け工程で受付けた地紋用の文字列が強調された画像データであることを特徴とする情報処理装置の制御方法。
【請求項１０】
前記第２の画像データは、
前記受付け工程で受付けた地紋用の文字列に基づく領域の濃度が、当該領域とは異なる領域の濃度よりも濃くなっているか又は薄くなっている画像データであることを特徴とする請求項９に記載の情報処理装置の制御方法。
【請求項１１】
前記表示制御工程は、
前記第１の画像データ及び第２の画像データの夫々に前記原稿画像データを合成した上で前記表示手段に表示するように制御することを特徴とする請求項９又は１０に記載の情報処理装置の制御方法。
【請求項１２】
前記表示制御工程は、
前記第１の画像データを表示するように制御するか、前記第２の画像データを表示するように制御するかを、ユーザからの指示に基づいて切り替えることを特徴とする請求項９乃至１１の何れか１項に記載の情報処理装置の制御方法。
【請求項１３】
前記表示制御工程は、
前記第１の画像データを表示するように制御するか、前記第２の画像データを表示するように制御するかを所定時間間隔で切り替えることを特徴とする請求項９乃至１１の何れか１項に記載の情報処理装置の制御方法。
【請求項１４】
前記表示制御工程は、
境界を境にして、前記第１の画像データと前記第２の画像データとを同時表示するように制御することを特徴とする請求項９乃至１１の何れか1項に記載の情報処理装置の制御方法。
【請求項１５】
前記表示制御工程は、
前記境界を移動させることを特徴とする請求項１４に記載の情報処理装置の制御方法。
【請求項１６】
前記生成工程は、
前記受付け工程で受付けた地紋用の文字列に基づく領域にドットを集中して配置し、前記領域とは異なる領域にドットを分散して配置した印刷物を画像形成装置に作成させるための印刷データを生成し、
前記第２の画像データは、前記受付工程で受付けた地紋用の文字列に基づく領域の濃度が、当該領域とは異なる領域の濃度よりも濃くなっている画像データであることを特徴とする請求項９乃至１５の何れか１項に記載の情報処理装置の制御方法。
【請求項１７】
コンピュータを、
印刷物で隠れ、当該印刷物の複写物では現れる地紋用の文字列をユーザから受付ける受付け手段と、
前記受付け手段で受付けた地紋用の文字列に基づく領域と、当該領域とは異なる領域とのうち片方の領域にドットを集中して配置し、他方の領域にドットを分散して配置した印刷物を画像形成装置に作成させるための印刷データを生成する生成手段と、
前記印刷物の複写前後の違いをユーザに確認させるべく、第１の画像データと第２の画像データとを生成し、当該生成された第１の画像データと第２の画像データとを表示手段に表示するように制御する表示制御手段として機能させるためのプログラムであって、
前記第２の画像データは、前記第１の画像データとは異なり、かつ、前記受付け手段で受付けた地紋用の文字列が強調された画像データであることを特徴とするプログラム。
【請求項１８】
請求項１０乃至１６の何れか１項に記載の制御方法の各工程をコンピュータに実行させるためのプログラム。
【請求項１９】
請求項９乃至１６の何れか１項に記載の制御方法の各工程をコンピュータに実行させるためのプログラムを格納したコンピュータ読取り可能な記憶媒体。
【手続補正２】
【補正対象書類名】明細書
【補正対象項目名】発明の名称
【補正方法】変更
【補正の内容】
【発明の名称】情報処理装置および情報処理装置の制御方法
【手続補正３】
【補正対象書類名】明細書
【補正対象項目名】０００１
【補正方法】変更
【補正の内容】
【０００１】
本発明は、情報処理装置および情報処理装置の制御方法に関するものである。詳しくは、パーソナルコンピュータ等の情報処理装置とプリンタなどの印刷装置を有して構成されるシステムにおいて、複写物と原本とを明確に区別するための地紋画像を含んだ画像をプレビュー表示する処理に関するものである。
【手続補正４】
【補正対象書類名】明細書
【補正対象項目名】００２８
【補正方法】変更
【補正の内容】
【００２８】
本発明は、以上説明した地紋画像のプレビュー時の問題に鑑みてなされたものであり、その目的とするところは、ユーザが、表示画面上で、意図した地紋画像が印刷出力される画像に適切に付加されているか否かの確認を容易に行うことを可能とする情報処理装置および情報処理装置の制御方法を提供することにある。
【手続補正５】
【補正対象書類名】明細書
【補正対象項目名】００２９
【補正方法】変更
【補正の内容】
【００２９】
以上の課題に鑑み、本発明では、情報処理装置において、印刷物で隠れ、当該印刷物の複写物では現れる地紋用の文字列をユーザから受付ける受付け手段と、前記受付け手段で受付けた地紋用の文字列に基づく領域と、当該領域とは異なる領域とのうち片方の領域にドットを集中して配置し、他方の領域にドットを分散して配置した印刷物を画像形成装置に作成させるための印刷データを生成する生成手段と、前記印刷物の複写前後の違いをユーザに確認させるべく、第１の画像データと第２の画像データとを生成し、当該生成された第１の画像データと第２の画像データとを表示手段に表示するように制御する表示制御手段とを有し、前記第２の画像データは、前記第１の画像データとは異なり、前記受付け手段で受付けた地紋用の文字列が強調された画像データであることを特徴とする。
【手続補正６】
【補正対象書類名】明細書
【補正対象項目名】００３０
【補正方法】変更
【補正の内容】
【００３０】
また、本発明では、情報処理装置の制御方法において、印刷物で隠れ、当該印刷物の複写物では現れる地紋用の文字列をユーザから受付ける受付け工程と、前記受付け工程で受付けた地紋用の文字列に基づく領域と、当該領域とは異なる領域とのうち片方の領域にドットを集中して配置し、他方の領域にドットを分散して配置した印刷物を画像形成装置に作成させるための印刷データを生成する生成工程と、前記印刷物の複写前後の違いをユーザに確認させるべく、第１の画像データと第２の画像データとを生成し、当該生成された第１の画像データと第２の画像データとを表示手段に表示するように制御する表示制御工程とを有し、前記第２の画像データは、前記第１の画像データとは異なり、前記受付け工程で受付けた地紋用の文字列が強調された画像データであることを特徴とする。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】